(57)【要約】【課題】巻き付けられた頭髪の巻き角度が容易に確認されうるパーマロッドを提供すること。【解決手段】上記パーマロッド１は、パーマネント処理時に、その外周面に頭髪Ｈの束を巻き付けて固定するためのパーマロッドであって、その中心軸方向の端部近傍に、中心軸回りの回転角度を識別するためのマークが付されている。この回転角度識別マークとしては、複数の数字Ｎが好ましい。この複数の数字Ｎは、１から大きい方へ順に６までが、周方向に等間隔で配列されているのが好ましい。この数字Ｎの記載位置は、パーマロッド１の両端の外周に沿って形成されたゴム止め用の凸部２の位置と対応しているのが好ましい。【選択図】図１
2012217666.tif 000002
【特許請求の範囲】
【請求項１】
パーマネント処理時に、その外周面に毛を巻き付けて固定するためのパーマロッドであって、
その長手方向の軸回りの回転角度を識別するためのマークが付されているパーマロッド。
【請求項２】
上記マークが、上記軸方向の端部近傍の軸回りに付された、複数の数字である請求項１に記載のパーマロッド。
【発明の詳細な説明】
【技術分野】
【０００１】
本発明は、頭髪等のパーマネント処理時に、その外周面に処理対象の毛を巻き付けて固定するためのパーマロッドに関する。
【背景技術】
【０００２】
このようなパーマロッドは、例えば、特開２００２−０５１８２６公報、特開２００４−２３７０３０公報、特開２００６−００６８８４公報、特開２０１１−０４５５５５公報等に開示されている。
【０００３】
頭髪のパーマネント処理時には、パーマロッドの外周面に頭髪の束が巻き付けられる。この状態の頭髪が、パーマ液が付けられたうえで加熱される。これにより、頭髪には所望のパーマネントウエーブが付与される。
【０００４】
一般的に、頭髪は、パーマネント処理時のパーマロッドへの巻き角度の大小により、そのウエーブの形態が異なる。パーマロッドには、頭髪の所望の部位が、所望の角度だけ巻き付けられる。頭髪の巻き角度が少ない場合には、頭髪に大きな弧状のウエーブが付与されうる。頭髪の束の先端近傍について、巻き角度が少ない場合には、先端部分のみがカールしうる。巻き角度が多い場合には、頭髪に螺旋状のウエーブが付与されうる。所望のウエーブの形態に応じて、パーマロッドへの頭髪の巻き角度が決められる。上記「巻き角度」とは、パーマロッドの外周に巻き付けられた毛の範囲をパーマロッドの中心軸回りの角度で表したものである。
【０００５】
所望のウエーブの形態を得るために、パーマロッドへの頭髪の巻き付け作業をする者は、実際に巻き付けた巻き角度を確認しておく必要がある。確認すべき「巻き角度」（巻き付け角度ともいう）は、度単位である必要はなく、例えば、１／２回転ピッチ、１／３回転ピッチ、１／６回転ピッチ等の精度で十分である。しかし、実際には、どの程度巻き付けたかを記憶するのが難しいことがある。一般に、パーマネント処理時には、多数個のパーマロッドが用いられる。かかる場合には、なおさら巻き角度の確認は困難になる。
【先行技術文献】
【特許文献】
【０００６】
【特許文献１】特開２００２−０５１８２６公報
【特許文献２】特開２００４−２３７０３０公報
【特許文献３】特開２００６−００６８８４公報
【特許文献４】特開２０１１−０４５５５５公報
【発明の概要】
【発明が解決しようとする課題】
【０００７】
本発明は、かかる現状を鑑みてなされたものであり、パーロッドへ毛を巻き付ける者が、容易にその巻き角度を確認することができるパーマロッドを提供することを目的としている。
【課題を解決するための手段】
【０００８】
本発明に係るパーマロッドは、パーマネント処理時に、その外周面に毛を巻き付けて固定するためのパーマロッドであって、その長手方向の軸回りの回転角度を識別するためのマークが付されている。
【０００９】
このパーマロッドによれば、その外周への毛の巻き付け角度が容易に確認されうる。
【００１０】
上記マークが、上記軸方向の端部近傍の軸回りに付された、複数の数字であるのが好ましい。毛の巻き付け角度の確認がさらに容易になるからである。
【発明の効果】
【００１１】
本発明に係るパーマロッドによれば、例えば、このパーマロッドへの頭髪の巻き付け作業をする者が、実際に巻き付けた頭髪の巻き角度を容易に確認することができる。
【図面の簡単な説明】
【００１２】
【図１】図１は、本発明に係るパーマロッドの一実施形態を示す斜視図である。
【発明を実施するための形態】
【００１３】
以下、適宜図面が参照されつつ、好ましい実施形態に基づいて本発明が詳細に説明される。
【００１４】
図１に示されたパーマロッド１は、美容院等において使用されるパーマロッドである。頭髪Ｈは、このパーマロッド１の外周面に巻き付けられたうえで、輪ゴムＷによってパーマロッド１に固定される。
【００１５】
パーマロッド１は円筒状を呈している。この円筒の外形は、両端から中央に向けて直径が漸減する鼓形を呈している。図示しないが、パーマロッド１の円筒部４の外周面には、多数の小突起や小突条が形成されている。上記鼓形も小突起等も、頭髪Ｈ（図中に二点鎖線で示す）を巻き付けやすくするために選択された構造である。パーマロッド１の材質としては、合成樹脂、合成ゴム、木製、アルミ合金等が採用されうる。
【００１６】
パーマロッドの形式及び構造は、図１に示されたものには限定されない。本発明は、前述した先行特許文献に記載されているような形式のパーマロッドにも適用可能である。また、本発明は、円錐状、多角筒状等のパーマロッドにも適用可能である。パーマロッドの形状は筒状には限定されない。一般的に、パーマロッドの直径は最大２０ｍｍ程度であり、長さは最長２０ｃｍ程度であるが、かかる寸法には限定されない。
【００１７】
パーマロッド１の両端外周に沿って、輪ゴムＷを掛け止めるための複数個の凸部２が形成されている。各凸部２の左右両側は凹部３となっている。この凸部２は、本実施形態では６個形成されているが、６個には限定されない。上記凸部２は、互いにほぼ同一の形状及び寸法を有している。凹部３も、互いにほぼ同一の形状及び寸法を有している。従って、凸部２は、パーマロッド１の両端外周の周方向に等間隔で形成されている。この凸部２はゴム止め部とも呼ばれる。各凸部２は矩形を呈しているが、矩形には限定されない。ただし、輪ゴムＷが容易に掛け止められ、且つ、掛け止められた輪ゴムＷが不用意に外れることが抑制される形状であるのが好ましい。
【００１８】
パーマロッド１の左右両端の各凸部２には、パーマロッド１の中心軸回りの回転角度を識別するためのマークとして、アラビア数字Ｎが付されている。この数字Ｎは、凸部２の個数に対応して、１から６までであり、その数字の順に配列されている。左右両端の１から６までの数字Ｎは、周方向の同一向きに１，２、３、４、５、６と順番に付されている。このパーマロッド１によれば、巻き付けられる頭髪Ｈの巻き付け角度（パーマロッド１の中心軸回りの回転角度）は、ほぼ６０°ごとに確認可能である。数字の個数がＰである場合、ほぼ３６０°／Ｐの角度ごとの巻き付け角度が確認されうる。このパーマロッド１に対する頭髪Ｈの巻き付け方向を逆にする場合には、パーマロッド１の左右端を１８０°逆にして用いればよい。
【００１９】
３６０°の倍数である巻き付け角度、すなわち、巻き付け回数は、巻き付けられた頭髪Ｈの状態の視認から想定可能である。巻き付け目標角度が３６０°の倍数プラス３６０°未満の場合は、以下の要領で頭髪Ｈがパーマロッド１に巻き付けられる。２＋１／３周だけ巻き付ける場合を例示する。まず、最初の巻き付けがほぼ１周になったと思われる部位の数字Ｎ１が記憶される。ちょうど１周になった部位は、頭髪Ｈの束のほぼ先端が、より根元側の部位と重なり合う位置であるから、確認容易である。この数字Ｎ１は、記憶を容易にするために、「１」となるようにしておくのが好ましい。次いで、さらなる巻き付けにより、頭髪Ｈが再度当該数字Ｎ１の位置に至ったときが２周目となる。さらに巻き付けられて、この数字Ｎ１の位置から２つ目の数字Ｎ３に至ったとき、その数字Ｎ３の凸部２に輪ゴムＷを掛け止める。数字Ｎ１が「１」であれば、数字Ｎ３は「３」である。この要領は一例である。かかる要領には限定されない。
【００２０】
回転角度識別マークは、図示のようなアラビア数字には限定されない。このマークとしては、例えば、ローマ数字、漢数字等の数字であってもよい。その場合、複数の数字はその数字の順に配列される。また、回転角度識別マークは数字でなくてもよい。例えば、イロハ、あいうえお、ＡＢＣ等のような、順番が認識できる文字であってもよい。しかし、回転角度が瞬時且つ明確に認識しうる点で数字が好ましい。
【００２１】
上記数字Ｎは、上記凸部２の個数に合わせて増減されうる。しかし、特に数字Ｎの個数と凸部２の個数とが一致している必要はない。数字Ｎは、必ずしも凸部２の範囲内に付される必要はない。数字Ｎは、凸部２からパーマロッド１の中央寄りにはみ出していてもよく、凸部２から外れて円筒部分４に付されていてもよい。しかし、回転角度識別マークは、パーマロッド１の回転角度を識別するためのマークであるから、周方向に等間隔で付されているのが好ましい。さらに、目的の巻き付け角度において輪ゴムＷによって頭髪Ｈの束を止めることからすれば、数字Ｎの位置は凸部２の位置と一致しているのが好ましい。
【００２２】
巻き付けられた頭髪Ｈを輪ゴムＷによって固定するタイプではないパーマロッドは、通常、上記凸部２を有していない。かかるパーマロッドの場合、回転角度識別マークの形成部位は、パーマロッドの端部外周面には限定されない。パーマロッドの形状に応じて変更可能である。中心軸に垂直な端面であってもよい。又は、端部近傍の周面又は端面にマークが付されたキャップが、パーマロッドの端部に嵌合されうるように構成されたパーマロッドであってもよい。しかし、回転角度識別マークは、パーマロッド１の回転角度を識別するためのマークであるから、周方向に等間隔で付されているのが好ましい。
【産業上の利用可能性】
【００２３】
本発明に係るパーマロッドは、実際に巻き付けられた頭髪の巻き角度が容易に確認されうるので、頭髪の様々なスタイリングが要求されるパーマネント処理にとっても好適である。
【符号の説明】
【００２４】
１・・・パーマロッド
２・・・凸部
３・・・凹部
４・・・円筒部分
Ｈ・・・頭髪Ｈ
Ｎ、Ｎ１、Ｎ３・・・数字
Ｗ・・・輪ゴムＷ
【図１】
2012217666.tif 000003